【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ネットワークエンティティによるワイヤレス通信のための方法であって、
リソースマッピングおよびセル識別情報(ID)に基づいて、復調基準信号(DMRS)を送信するために使用するための時間リソースおよび周波数リソースを判定するステップであって、時間リソースおよび周波数リソースを判定するステップは、
トーンの基本セットを判定するステップと、
モジュロ関数を前記セルIDに適用することによってトーンの前記基本セットに適用するためのシフトを判定するステップと、
前記DMRSを送信するために使用するための少なくとも前記周波数リソースを判定するために、前記シフトをトーンの前記基本セットに適用するステップとを含む、ステップと、
前記判定された時間リソースおよび周波数リソース上で送信される前記DMRSを用いて物理ブロードキャストチャネル(PBCH)を送信するステップであって、前記送信したDMRSが、前記PBCHと関連する同期信号(SS)ブロックインデックスを示す2ビットまたは3ビットのタイミング情報を含む、ステップと
を含む、方法。
【請求項２】
前記時間リソースおよび前記周波数リソースが、トーンの第1のセットが前記PBCHの第1のPBCHシンボル内で前記DMRSのために使用され、トーンの第2のセットが前記PBCHの第2のPBCHシンボル内で前記DMRSのために使用されるように、トーンの前記基本セットおよび前記シフトに基づいて判定される、請求項1に記載の方法。
【請求項３】
前記第1のPBCHシンボルが、同期信号ブロック(SSB)内の複数のシンボル内で繰り返され、
前記第1のPBCHシンボル内の前記DMRSに対する前記シフトがさらに、前記SSB内のシンボルインデックスに依存する
請求項2に記載の方法。
【請求項４】
前記モジュロ関数を適用することによって前記シフトを判定するステップが、シフトの量が前記繰り返されるPBCHシンボルのDMRSトーン同士の間の間隔よりも大きいとの判定に応答して、前記シフトを判定するために前記セルIDに前記モジュロ関数を適用するステップを含む、請求項3に記載の方法。
【請求項５】
トーンの前記基本セットが、前記セルIDの関数である、請求項2に記載の方法。
【請求項６】
ユーザ機器によるワイヤレス通信のための方法であって、
リソースマッピングおよびセル識別情報(ID)に基づいて、復調基準信号(DMRS)を監視するための時間リソースおよび周波数リソースを判定するステップであって、時間リソースおよび周波数リソースを判定するステップは、
トーンの基本セットを判定するステップと、
モジュロ関数を前記セルIDに適用することによってトーンの前記基本セットに適用するためのシフトを判定するステップと、
前記DMRSを送信するために使用するための少なくとも前記周波数リソースを判定するために、前記シフトをトーンの前記基本セットに適用するステップとを含む、ステップと、
前記判定された時間リソースおよび周波数リソース上で送信される前記DMRSを用いて物理ブロードキャストチャネル(PBCH)を監視するステップであって、前記送信したDMRSが、前記PBCHと関連する同期信号(SS)ブロックインデックスを示す2ビットまたは3ビットのタイミング情報を含む、ステップと
を含む、方法。
【請求項７】
前記時間リソースおよび前記周波数リソースが、トーンの第1のセットが前記PBCHの第1のPBCHシンボル内で前記DMRSのために使用され、トーンの第2のセットが前記PBCHの第2のPBCHシンボル内で前記DMRSのために使用されるように、トーンの前記基本セットおよび前記シフトに基づいて判定される、請求項6に記載の方法。
【請求項８】
前記第1のPBCHシンボルが、同期信号ブロック(SSB)内の複数のシンボル内で繰り返され、
前記第1のPBCHシンボル内の前記DMRSに対する前記シフトがさらに、前記SSB内のシンボルインデックスに依存する
請求項7に記載の方法。
【請求項９】
前記モジュロ関数を適用することによって前記シフトを判定するステップが、シフトの量が前記繰り返されるPBCHシンボルのDMRSトーン同士の間の間隔よりも大きいとの判定に応答して、前記シフトを判定するために前記セルIDに前記モジュロ関数を適用するステップを含む、請求項8に記載の方法。
【請求項１０】
トーンの前記基本セットが、前記セルIDの関数である、請求項7に記載の方法。
【請求項１１】
少なくとも1つのプロセッサと、前記少なくとも1つのプロセッサに結合されたメモリとを含む、ネットワークエンティティによるワイヤレス通信のための装置であって、前記少なくとも1つのプロセッサが、
リソースマッピングおよびセル識別情報(ID)に基づいて、復調基準信号(DMRS)を送信するために使用するための時間リソースおよび周波数リソースを判定することであって、前記少なくとも1つのプロセッサは、
トーンの基本セットを判定することと、
モジュロ関数を前記セルIDに適用することによってトーンの前記基本セットに適用するためのシフトを判定することと、
前記DMRSを送信するために使用するための少なくとも前記周波数リソースを判定するために、前記シフトをトーンの前記基本セットに適用することによって、時間リソースおよび周波数リソースを判定するように構成される、判定することと、
前記判定された時間リソースおよび周波数リソース上で送信される前記DMRSを用いて物理ブロードキャストチャネル(PBCH)を送信することであって、前記送信したDMRSが、前記PBCHと関連する同期信号(SS)ブロックインデックスを示す2ビットまたは3ビットのタイミング情報を含む、送信することと
を行うように構成される、装置。
【請求項１２】
前記時間リソースおよび前記周波数リソースが、トーンの第1のセットが前記PBCHの第1のPBCHシンボル内で前記DMRSのために使用され、トーンの第2のセットが前記PBCHの第2のPBCHシンボル内で前記DMRSのために使用されるように、トーンの前記基本セットおよび前記シフトに基づいて判定される、請求項11に記載の装置。
【請求項１３】
少なくとも1つのプロセッサと、前記少なくとも1つのプロセッサに結合されたメモリとを含む、ユーザ機器によるワイヤレス通信のための装置であって、前記少なくとも1つのプロセッサが、
リソースマッピングおよびセル識別情報(ID)に基づいて、復調基準信号(DMRS)を監視するための時間リソースおよび周波数リソースを判定することであって、時間リソースおよび周波数リソースを判定することは、
トーンの基本セットを判定することと、
モジュロ関数を前記セルIDに適用することによってトーンの前記基本セットに適用するためのシフトを判定することと、
前記DMRSを送信するために使用するための少なくとも前記周波数リソースを判定するために、前記シフトをトーンの前記基本セットに適用することとを含む、判定することと、
前記判定された時間リソースおよび周波数リソース上で送信される前記DMRSを用いて物理ブロードキャストチャネル(PBCH)を監視することであって、前記送信したDMRSが、前記PBCHと関連する同期信号(SS)ブロックインデックスを示す2ビットまたは3ビットのタイミング情報を含む、監視することとを行うように構成される、装置。
【請求項１４】
前記時間リソースおよび前記周波数リソースが、トーンの第1のセットが前記PBCHの第1のPBCHシンボル内で前記DMRSのために使用され、トーンの第2のセットが前記PBCHの第2のPBCHシンボル内で前記DMRSのために使用されるように、トーンの前記基本セットおよび前記シフトに基づいて判定される、請求項13に記載の装置。
【請求項１５】
コンピュータによって実行されると、前記コンピュータに請求項1〜10のいずれか一項に記載の方法を実行させる命令を備える、コンピュータプログラム。